(57)【特許請求の範囲】
【請求項１】
それぞれ、少なくとも映像信号、それに対応する音声信号、およびデータ信号のうちの少なくとも２つを含む複数の放送チャンネル信号の中から所定のものを受信する受信手段と、
前記放送チャンネル信号の内の第１の放送チャンネル信号の映像信号と、前記第１の放送チャンネル信号と異なる第２の放送チャンネル信号の音声信号またはデータ信号とを選択する選択手段と、
少なくともその放送帯域信号で伝送される前記放送チャンネルのパケットのリストを内容とするパケットを含む前記放送帯域信号から、前記パケットのリストを含む前記パケットを検出する検出手段と、
前記選択手段により選択された前記映像信号と音声信号またはデータ信号を出力する出力手段と
を備えることを特徴とする選局装置。
【請求項２】
前記放送チャンネルの信号が、前記映像信号、音声信号またはデータ信号のいずれにより構成されているかを表示するための信号と、前記選択手段による選択結果を表示する信号を生成する生成手段をさらに備える
ことを特徴とする請求項１に記載の選局装置。
【請求項３】
前記各放送チャンネル信号の前記映像信号、音声信号またはデータ信号は、デジタル化され、かつ、パケット化されており、複数の前記放送チャンネル信号が１つの放送帯域信号で伝送され、前記選択手段は前記パケットの所定のものを選択する
ことを特徴とする請求項１に記載の選局装置。
【請求項４】
それぞれ、少なくとも映像信号、それに対応する音声信号、およびデータ信号のうちの少なくとも２つを含む複数の放送チャンネル信号の中から所定のものを受信し、
前記放送チャンネル信号の内の第１の放送チャンネル信号の映像信号と、前記第１の放送チャンネル信号と異なる第２の放送チャンネル信号の音声信号またはデータ信号とを選択し、
少なくともその放送帯域信号で伝送される前記放送チャンネルのパケットのリストを内容とするパケットを含む前記放送帯域信号から、前記パケットのリストを含む前記パケットを検出し、
選択された前記映像信号と音声信号またはデータ信号を出力する
ことを特徴とする選局方法。
【請求項５】
少なくともその放送帯域信号で伝送される複数の放送チャンネルのパケットのリストを内容とするパケットを含む前記放送帯域信号から、前記パケットのリストを含む前記パケットを検出する検出手段と、
前記検出手段の検出結果に対応して前記放送チャンネルの信号が、前記映像信号、音声信号またはデータ信号のいずれにより構成されているかを表示するための信号を生成する生成手段と
を備えることを特徴とする選局装置。
【請求項６】
少なくともその放送帯域信号で伝送される複数の放送チャンネルのパケットのリストを内容とするパケットを含む前記放送帯域信号から、前記パケットのリストを含む前記パケットを検出し、
その検出結果に対応して前記放送チャンネルの信号が、前記映像信号、音声信号またはデータ信号のいずれにより構成されているかを表示するための信号を表示する信号を生成する
ことを特徴とする選局方法。
【請求項７】
それぞれ、少なくとも映像信号、それに対応する音声信号、およびデータ信号のうちの少なくとも２つを含む各放送チャンネル信号の前記映像信号、音声信号またはデータ信号をデジタル化し、パケット化するパケット手段と、
１つの放送帯域信号で伝送される複数の前記放送チャンネルのパケットのリストを内容とするパケットを生成する生成手段と、
前記パケット手段によりパケット化された複数の前記放送チャンネルのパケットと前記生成手段により生成されたパケットとを、１つの放送帯域信号の中に重畳させる重畳手段と
を備えることを特徴とする放送装置。
【請求項８】
それぞれ、少なくとも映像信号、それに対応する音声信号、およびデータ信号のうち少なくとも２つを含む各放送チャンネル信号の前記映像信号、音声信号またはデータ信号をデジタル化し、パケット化し、
１つの放送帯域信号で伝送される複数の前記放送チャンネルのパケットのリストを内容とするパケットを生成し、
パケット化された複数の前記放送チャンネルのパケットと前記リストを内容とするパケットとを、１つの放送帯域信号の中に重畳する
ことを特徴とする放送方法。
【発明の詳細な説明】
【０００１】
【発明の属する技術分野】
本発明は、選局装置および選局方法並びに放送装置および放送方法に関し、特に、放送装置が放送チャンネルのパケットのリストを内容とするパケットを生成し、選局装置が１つの放送チャンネルの映像パケット信号、音声パケット信号、またはテキストパケット信号の中から所定のパケット信号を選択し、他の放送チャンネルの映像パケット信号、音声パケット信号、またはテキストパケット信号の中から選択したものと組み合わせ、出力するようにした選局装置および選局方法並びに放送装置および放送方法に関する。
【０００２】
【従来の技術】
ユーザに提供される放送サービス情報には、映像情報、音声情報、およびテキスト情報等がある。これらの情報は、特にデジタル放送の分野におけるデータ圧縮技術の進歩に伴い、高密度に圧縮され、電波または、ケーブル線を流れる信号を媒体として伝送されるようになってきた。
【０００３】
図１６は、従来のアナログ信号の選局装置の構成例を表している。
【０００４】
ユーザからの特定帯域（特定の放送チャンネル）を指定する信号は、リモートコマンダ１より赤外線信号を介して選局装置５内のコントロール回路６に送信されるようになされている。
【０００５】
各放送チャンネルの信号は各放送局から電波で送信され、この電波がアンテナ２で受信され、内部信号に変換される。この変換された内部信号は選局装置５の帯域選択回路７に送信されるようになされている。帯域選択回路７は、コントロール回路６より出力されるユーザが指定した放送帯域の情報を基に、特定の放送帯域を選択するようになされている。
【０００６】
帯域選択回路７により特定放送帯域（特定放送チャンネル）の同調が行われ、複数の放送帯域信号の中から、特定放送帯域信号のみが抽出され、さらに、この信号は、映像信号、テキスト信号、および音声信号に分離される。
【０００７】
映像信号処理回路８は、帯域選択回路７より供給される映像信号とテキスト信号のうち映像信号に対しデコード処理を行い、表示装置３のインタフェースに準じてこの信号を加工処理し、テキスト信号とともに表示装置３に出力するようになされている。
【０００８】
音声信号処理回路９は、帯域選択回路７より供給される音声信号に対しデコード処理を行った後、増幅し、スピーカ４に出力するようになされている。
【０００９】
このようにして、ユーザにより選局された放送帯域（放送チャンネル）の情報が表示装置３とスピーカ４により、その放送チャンネルの映像、テキスト、および音声としてユーザに提供される。
【００１０】
【発明が解決しようとする課題】
しかしながら、従来の選局装置では、複数の放送チャンネル信号から１つの放送チャンネルを選択することは可能であるが、映像、テキスト、および音声の組み合わせは固定であり、ユーザが選択することはできない課題があった。すなわち、例えば、第１の放送チャンネルで提供されるテキスト情報、第２の放送チャンネルで提供される映像情報、および第３の放送チャンネルで提供される音声情報を組み合わせて出力するようなことはできない課題があった。
【００１１】
図１６で示した従来の選局装置において、帯域選択回路７、映像信号処理回路８、音声信号処理回路９を複数放送チャンネル分用意し、それぞれ、映像信号処理回路８と表示装置３および音声信号処理回路９とスピーカ４との間に、任意の映像、テキスト、および音声信号を選択出力する出力選択回路を設けるようにすれば、上記したような組み合わせが可能となる。しかしながら、そのようにすると、選局装置５の製造コストが上昇する課題があった。
【００１２】
また、信号をデジタル化し、１つの伝送チャンネルで複数の放送チャンネルの信号をパケット化し、多重化して伝送する場合においても、１つの放送チャンネルの受信を指令すると、その放送チャンネルの映像信号、テキスト信号、および音声信号のパケットが自動的に選択されてしまい、ユーザが任意の放送チャンネルのパケットを組み合わせて自由に選択することができない課題があった。
【００１３】
本発明はこのような状況に鑑みてなされたものであり、複数の放送チャンネルで提供される映像信号、音声信号、およびテキスト信号を任意に組み合わせて選択出力できるようにするものである。
【００１４】
【課題を解決するための手段】
請求項１に記載の選局装置は、それぞれ、少なくとも映像信号、それに対応する音声信号、およびデータ信号のうちの少なくとも２つを含む複数の放送チャンネル信号の中から所定のものを受信する受信手段と、放送チャンネル信号の内の第１の放送チャンネル信号の映像信号と、第１の放送チャンネル信号と異なる第２の放送チャンネル信号の音声信号またはデータ信号とを選択する選択手段と、少なくともその放送帯域信号で伝送される放送チャンネルのパケットのリストを内容とするパケットを含む放送帯域信号から、パケットのリストを含むパケットを検出する検出手段と、選択手段により選択された映像信号と音声信号またはデータ信号を出力する出力手段とを備えることを特徴とする。
【００１５】
請求項４に記載の選局方法は、それぞれ、少なくとも映像信号、それに対応する音声信号、およびデータ信号のうちの少なくとも２つを含む複数の放送チャンネル信号の中から所定のものを受信し、放送チャンネル信号の内の第１の放送チャンネル信号の映像信号と、第１の放送チャンネル信号と異なる第２の放送チャンネル信号の音声信号またはデータ信号とを選択し、少なくともその放送帯域信号で伝送される放送チャンネルのパケットのリストを内容とするパケットを含む放送帯域信号から、パケットのリストを含むパケットを検出し、選択された映像信号と音声信号またはデータ信号を出力することを特徴とする。
【００１６】
請求項５に記載の選局装置は、少なくともその放送帯域信号で伝送される複数の放送チャンネルのパケットのリストを内容とするパケットを含む放送帯域信号から、パケットのリストを含むパケットを検出する検出手段と、検出手段の検出結果に対応して放送チャンネルの信号が、映像信号、音声信号またはデータ信号のいずれにより構成されているかを表示するための信号を生成する生成手段とを備えることを特徴とする。
【００１７】
請求項６に記載の選局方法は、少なくともその放送帯域信号で伝送される複数の放送チャンネルのパケットのリストを内容とするパケットを含む放送帯域信号から、パケットのリストを含むパケットを検出し、検出結果に対応して放送チャンネルの信号が、映像信号、音声信号またはデータ信号のいずれにより構成されているかを表示するための信号を生成することを特徴とする。
【００１８】
請求項７に記載の放送装置は、１つの放送帯域信号で伝送される複数の放送チャンネルのパケットのリストを内容とするパケットを生成する生成手段と、パケット化された複数の放送チャンネルのパケットと生成手段により生成されたパケットを１つの放送帯域信号の中に重畳させる重畳手段中とを備えることを特徴とする。
【００１９】
請求項８に記載の放送方法は、１つの放送帯域信号で伝送される複数の放送チャンネルのパケットのリストを内容とするパケットを生成し、パケット化された複数の放送チャンネルのパケットとパケットのリストを内容とするパケットを１つの放送帯域信号の中に重畳させることを特徴とする。
【００２０】
請求項１に記載の選局装置においては、受信手段が、それぞれ、少なくとも映像信号、それに対応する音声信号、およびデータ信号のうちの少なくとも２つを含む複数の放送チャンネル信号の中から所定のものを受信し、選択手段が、放送チャンネル信号の内の第１の放送チャンネル信号の映像信号と、第１の放送チャンネル信号と異なる第２の放送チャンネル信号の音声信号またはデータ信号とを選択し、少なくともその放送帯域信号で伝送される放送チャンネルのパケットのリストを内容とするパケットを含む放送帯域信号から、パケットのリストを含むパケットを検出することを特徴とする。
【００２１】
請求項４に記載の選局方法においては、それぞれ、少なくとも映像信号、それに対応する音声信号、およびデータ信号のうちの少なくとも２つを含む複数の放送チャンネル信号の中から所定のものが受信され、放送チャンネル信号の内の第１の放送チャンネル信号の映像信号と、第１の放送チャンネル信号と異なる第２の放送チャンネル信号の音声信号またはデータ信号とが選択され、少なくともその放送帯域信号で伝送される放送チャンネルのパケットのリストを内容とするパケットを含む放送帯域信号から、パケットのリストを含むパケットが検出される。
【００２２】
請求項５に記載の選局装置においては、検出手段が、少なくともその放送帯域信号で伝送される複数の放送チャンネルのパケットのリストを内容とするパケットを含む放送帯域信号から、パケットのリストを含むパケットを検出し、生成手段が、検出結果に対応して放送チャンネルの信号が、映像信号、音声信号またはデータ信号のいずれにより構成されているかを表示するための信号を生成する。
【００２３】
請求項６に記載の選局方法においては、少なくともその放送帯域信号で伝送される複数の放送チャンネルのパケットのリストを内容とするパケットを含む放送帯域信号から、パケットのリストを含むパケットが検出され、検出結果に対応して放送チャンネルの信号が、映像信号、音声信号またはデータ信号のいずれにより構成されているかを表示するための信号が生成される。
【００２４】
請求項７に記載の放送装置においては、生成手段が、１つの放送帯域信号で伝送される複数の放送チャンネルのパケットのリストを内容とするパケットを生成し、重畳手段が、パケット化された複数の放送チャンネルのパケットと生成手段により生成されたパケットを１つの放送帯域信号の中に重畳させる。
【００２５】
請求項８に記載の放送方法においては、１つの放送帯域信号で伝送される複数の放送チャンネルのパケットのリストを内容とするパケットを生成し、パケット化された複数の放送チャンネルのパケットとパケットのリストを内容とするパケットを１つの放送帯域信号の中に重畳させる。
【００２６】
【発明の実施の形態】
以下に本発明の実施例を説明するが、特許請求の範囲に記載の各手段と以下の実施例との対応関係を明かにするために、各手段の後の括弧内に、対応する実施例（但し一例）を付加して本発明の特徴を記述すると、次のようになる。但し、勿論この記載は、各手段を記載したものに限定することを意味するものではない。
【００２７】
請求項１に記載の選局装置は、それぞれ、少なくとも映像信号、それに対応する音声信号、およびデータ信号のうちの少なくとも２つを含む複数の放送チャンネル信号の中から所定のものを受信する受信手段（例えば、図９の処理を行う図４の選局装置１５）と、放送チャンネル信号の内の第１の放送チャンネル信号の映像信号と、前記第１の放送チャンネル信号と異なる第２の放送チャンネル信号の音声信号またはデータ信号とを選択する選択手段（例えば、図４のパケット選択回路６３）と、少なくともその放送帯域信号で伝送される前記放送チャンネルのパケットのリストを内容とするパケットを含む放送帯域信号から、パケットのリストを含むパケットを検出する検出手段（例えば、図８の処理を行う図４の選局装置１５）と、前記選択手段により選択された前記映像信号と音声信号またはデータ信号を出力する出力手段（例えば、図４の映像信号処理回路６４と音声信号処理回路６５）とを備えることを特徴とする。
【００２８】
請求項２に記載の選局装置は、放送チャンネルの信号が、映像信号、音声信号またはデータ信号のいずれにより構成されているかを表示するための信号と、前記選択手段による選択結果を表示する信号を生成する生成手段（例えば、図１１のステップＳ６４の処理を行う図１０の選局装置１５）をさらに備えることを特徴とする。
【００３０】
請求項５に記載の選局装置は、少なくともその放送帯域信号で伝送される複数の放送チャンネルのパケットのリストを内容とするパケットを含む放送帯域信号から、パケットのリストを含むパケットを検出する検出手段（例えば、図８の処理を行う図１０の選局装置１５）と、検出結果に対応して放送チャンネルの信号が、映像信号、音声信号またはデータ信号のいずれにより構成されているかを表示するための信号を生成する生成手段（例えば、図１１のステップＳ６４を行う図１０の選局装置１５）とを備えることを特徴とする。
【００３１】
請求項７に記載の放送装置は、それぞれ、少なくとも映像信号、それに対応する音声信号、およびデータ信号のうちの少なくとも２つを含む各放送チャンネル信号の映像信号、音声信号またはデータ信号をデジタル化し、パケット化するパケット手段（例えば、図３のＡ／Ｄ変換回路４０ー１とビデオエンコーダ４２ー１）と、１つの放送帯域信号で伝送される複数の放送チャンネルのパケットのリストを内容とするパケットを生成する生成手段（例えば、図３のパケットリスト生成回路４５）と、パケット手段によりパケット化された複数の放送チャンネルのパケットと生成手段により生成されたパケットとを、１つの放送帯域信号の中に重畳させる重畳手段（例えば、図３のマルチプレクサ４６）と、を備えることを特徴とする。
【００３２】
図１は本発明の選局装置を適用したデジタル放送の選局システムの一実施例の構成を示す図である。
【００３３】
ユーザの操作に対応した信号が、操作部としてのリモートコマンダ１１から赤外線信号により選局装置１５に送信されるようになされている。この操作部としては、赤外線信号、または無線信号を送信するリモートコマンダの他に、選局装置１５に装備される操作パネル等を用いることもできる。その場合には、操作信号は、機器内バス、または操作パネルが選局装置１５から分離されている場合には、機器間バスを介して伝送される。
【００３４】
放送局に設置された放送装置１６より送信されるデジタル放送信号には、同一伝送チャンネルに複数の放送チャンネルが含まれており、各放送チャンネルは、パケット化された映像信号、テキスト信号（データ信号）、音声信号を含んでいる。この伝送チャンネルの信号には、その伝送チャンネルに含まれるパケットの内容を示すパケットリストのパケットも含まれている。勿論、他の伝送チャンネルに含まれるパケットの内容もパケットリストに含めるようにしてもよい。この場合、パケットリストは、どの伝送チャンネルにおいても共通のものとなる。
【００３５】
また、各パケットには、そのパケットを識別するためのパケットＩＤが付与されており、このパケットＩＤにより、パケットリスト、特定放送チャンネルで提供される映像パケット信号、特定放送チャンネルで提供されるテキストパケット信号、および特定放送チャンネルで提供される音声パケット信号の識別が可能となる。また、パケットリストは、重畳された放送チャンネルの名称、および各放送チャンネルで提供される映像パケット信号、テキストパケット信号、音声パケット信号のパケットＩＤを含んでいる。
【００３６】
複数の伝送チャンネルから成る上記放送信号は、アンテナ１２により受信された後、選局装置１５に送信されるようになされている。放送信号を送る媒体としては電波の他に、ＣＡＴＶケーブルのような有線を用いることもできる。その場合には、アンテナ１２の代わりに選局装置１５とのインタフェースに準じて信号を受信する装置を用いる。
【００３７】
選局装置１５は、受信した信号からユーザの指定した伝送チャンネル帯域を特定し、特定された伝送チャンネルに含まれる複数の放送チャンネルの提供する映像信号、テキスト信号、および音声信号を、ユーザの選択した組み合わせで任意に選択する。
【００３８】
選局装置１５から送信された映像信号およびテキスト信号は、表示装置１３により映像出力としてユーザに提供され、選局装置１５から送信された音声信号は、スピーカ１４により音声出力としてユーザに提供されるようになされている。
【００３９】
この実施例で示した選局システムは、複数の放送帯域（伝送チャンネル）から成る放送信号より特定の放送帯域の信号を選択し、選択した放送帯域の複数の放送チャンネルの映像信号、テキスト信号、および音声信号を、ユーザの選択する組み合わせで、出力するシステムである。
【００４０】
図２は図１で示した放送装置１６の一実施例の構成を表すブロック図である。
【００４１】
各放送帯域用の映像音声信号は、信号選択回路２０によりｍ個の放送帯域別に分離され、それぞれの放送帯域信号を処理する処理回路２１−１乃至２１−ｍに出力されるようになされている。
【００４２】
各処理回路２１−１乃至２１−ｍは、信号選択回路２０より出力された１つの放送帯域信号に含まれる複数（ｎ個）の放送チャンネルの信号を各チャンネルの映像信号、音声信号、およびテキスト信号ごとにパケット化し、これらのパケット信号を１つの放送帯域信号に重畳（多重化）させるようになされている。
【００４３】
また、各処理回路２１−１乃至２１−ｍは、各パケットの内容を示すリスト情報を生成し、パケット化するようになされている。
【００４４】
各変調回路２２−１乃至２２−ｍは、各処理回路２１−１乃至２１−ｍより供給された各放送帯域信号を、ＱＰＳＫ変調、ＦＭ変調などの所定の方式で変調し、マルチプレクサ２３に出力するようになされている。
【００４５】
各変調回路２２−１乃至２２−ｍより出力される各放送帯域信号は、マルチプレクサ２３により１つの放送信号に多重化され、送信回路２４を介し、アンテナ２５より電波として伝送されるようになされている。
【００４６】
図３は図２で示した処理回路２１−１乃至２１−ｍの一実施例の構成を表すブロック図である。
【００４７】
第１の放送チャンネル（ＣＨ１）のビデオ信号は、Ａ／Ｄ変換回路４０−１によりＡ（アナログ）／Ｄ（デジタル）変換され、続いて、ビデオエンコーダ４２−１によりＭＰＥＧ方式で圧縮され、パケット化され、マルチプレクサ４６に出力されるようになされている。
【００４８】
第１の放送チャンネル（ＣＨ１）のオーディオ信号は、Ａ／Ｄ変換回路４１−１によりＡ／Ｄ変換され、続いて、オーディオエンコーダ４３−１によりＭＰＥＧ方式で圧縮され、パケット化され、マルチプレクサ４６に送信されるようになされている。
【００４９】
また、第１の放送チャンネル（ＣＨ１）のテキストデータは、テキストエンコーダ４４−１でエンコードされ、パケット化され、マルチプレクサ４６に出力されるようになされている。
【００５０】
第２の放送チャンネル（ＣＨ２）乃至第ｎの放送チャンネル（ＣＨｎ）においても、第１の放送チャンネルの場合と同様の処理が行われる。
【００５１】
パケットリスト生成回路４５は、各放送チャンネルのビデオ信号、オーディオ信号、およびテキストデータのパケットＩＤを認識し、この放送帯域のパケット信号がいづれのパケットで構成されているかを示すリスト情報信号を生成し、このリスト情報信号をパケット化し、マルチプレクサ４６に出力するようになされている。
【００５２】
マルチプレクサ４６は、上記したこれらのパケット信号を多重化し、出力するようになされている。
【００５３】
図４は図１で示した選局装置１５の一実施例の構成を表すブロック図である。
【００５４】
ユーザからの特定放送帯域（伝送チャンネル）を指定する信号、特定映像信号、特定テキスト信号、特定音声信号、または特定放送チャンネルで提供されるすべての信号（映像信号、テキスト信号、音声信号）を指定する信号は、リモートコマンダ１１より赤外線信号を介して選局装置１５のコントロール回路６０に送信されるようになされている。
【００５５】
複数放送帯域から成る放送信号は、アンテナ１２により、その媒体である伝送電波から受信され、選局装置１５の帯域選択回路６１に供給されるようになされている。帯域選択回路６１は、コントロール回路６０より供給されるユーザが指定した放送帯域の情報を基に、特定の放送帯域を選択するように制御されている。
【００５６】
ユーザからの任意の放送チャンネルで提供される映像信号、テキスト信号、若しくは音声信号を指定する信号、または特定の放送チャンネルで提供されるすべての信号（映像信号、テキスト信号、および音声信号）を指定する信号（特定の放送チャンネルを指定する信号）は、コントロール回路６０により識別され、コントロール回路６０は、その識別結果に対応して、所定の放送帯域を選択させる命令信号を帯域選択回路６１に出力するとともに、所定のパケット信号を抽出させる命令信号をパケット選択回路６３に出力するようになされている。
【００５７】
帯域選択回路６１は、この命令に対応して、特定放送帯域の信号を選択し、変換回路６２に出力するようになされている。
【００５８】
この選択された特定放送帯域の信号は、変換回路６２により、誤り検出訂正、デスクランブルなどの処理が施され、放送信号として決められたフォーマットに従い、各放送チャンネルで提供される映像信号、テキスト信号、および音声信号のパケット信号、またはパケットリストのパケット信号に変換される。各パケット信号は、パケット選択回路６３に供給されるようになされている。
【００５９】
パケット選択回路６３は、コントロール回路６０が指定したパケットＩＤの組み合わせに対応してこれらのパケット信号を選択し、映像パケット信号およびテキストパケット信号を映像信号処理回路６４に出力し、音声パケット信号を音声信号処理回路６５に出力するようになされている。また、パケット選択回路６３はコントロール回路６０からの要求に対応して、パケットＩＤの管理とパケット信号の種類を管理するパケットリストをコントロール回路６０に出力するようになされている。
【００６０】
映像信号処理回路６４は、映像信号に対しＭＰＥＧデコード処理を行い、表示装置１３のインタフェースに準じて映像信号を加工処理し、テキスト信号とともに表示装置３に出力するようになされている。
【００６１】
音声信号処理回路６５は、音声信号に対しＭＰＥＧデコード処理を行い、増幅し、スピーカ４に出力するようになされている。
【００６２】
図５は、リモートコマンダ１１の操作部の一例を示す図である。
【００６３】
この操作部は、従来のＴＶ（テレビジョン）放送選択のＵＰ／ＤＯＷＮキーと、その選局指示方法において同様の指示を行う５種類のＵＰ／ＤＯＷＮキーより構成されている。
【００６４】
ユーザが映像信号ＵＰキーＵ１を１回押すごとに、選局装置１５に対して、次の放送チャンネル（放送チャンネル番号）の映像選択が指示され、映像信号ＤＯＷＮキーＤ１を１回押すごとに、前の放送チャンネル（放送チャンネル番号）の映像選択が指示される。
【００６５】
同様に、ユーザが音声ＵＰキーＵ２、テキストＵＰキーＵ３、または番組ＵＰキーＵ４を１回押すごとに、選局装置１５に対して、それぞれ、次の放送チャンネルの音声、テキスト、または番組（その番組を構成する映像、音声、およびテキスト）の選択が指示され、ユーザが音声ＤＯＷＮキーＤ２、テキストＤＯＷＮキーＤ３、または番組ＤＯＷＮキーＤ４を１回押すごとに、それぞれ、前の放送チャンネルの音声、テキスト、または番組（その番組を構成する映像、音声、およびテキスト）の選択が指示される。
【００６６】
また、ユーザが放送帯域ＵＰキーＵ５を１回押下するごとに、選局装置１５に対して、次の放送帯域（伝送チャンネル）の同調が指示され、ユーザが放送帯域ＤＯＷＮキーＤ５を１回押すごとに、前の放送帯域（伝送チャンネル）の同調が指示される。
【００６７】
リモートコマンダ１１の操作部の他の実施例を図６に示す。
【００６８】
この操作部は、ＵＰキーＵ１０、ＤＯＷＮキーＤ１０、および切換キーＳより構成されており、ユーザが切換キーＳを１回押すごとに、番組選択モード、映像選択モード、音声選択モード、テキスト選択モード、放送帯域選択モードの順番で、選択モードが循環して切り替わるようになされている。
【００６９】
各選択モードでのＵＰキーＵ１０（またはＤＯＷＮキー１０Ｄ）の選局装置１５に対する指示操作は、図５の操作部の各ＵＰ（またはＤＯＷＮ）キーの指示操作と同様である。
【００７０】
次に、図５で示す操作部を用いたユーザのキー操作に対応する、図４で示す選局装置１５の処理動作を図７のフローチャートを参照して説明する。
【００７１】
ユーザが選局装置１５を含む図１の選局システムに電源を供給するなどして、このシステムを活性化させると、図７のステップＳ１１において、選局装置１５のコントロール回路６０は、ユーザが同調を指示する放送帯域として、第１（初期設定）の放送帯域を設定する。
【００７２】
続く、ステップＳ１２で示す、放送帯域（伝送チャンネル）を同調させる指示信号が入力されたのか否かのディシジョンでは、今の場合、ステップＳ１１の初期設定に対応して、放送帯域（伝送チャンネル）を同調させる指示信号が入力されたと判断されるので、後続のステップＳ１３で示されるサブルーチン処理が実行される。
【００７３】
このステップＳ１３では、指定放送帯域の同調処理、パケットリストの内容認識処理等が行われる。この処理により、初期設定されている第１の放送帯域が選択され、選局装置１５のコントロール回路６０が、パケットリストにより第１の放送帯域で提供されるサービスを把握する。
【００７４】
ここで、ステップＳ１３で示す処理の詳細を図８のフローチャートを参照して説明する。
【００７５】
指定した放送帯域の選択を指示する信号の入力を受けたとき、コントロール回路６０は、帯域選択回路６１に対して、指定された放送帯域の選択を命令する。この命令に対して、図８のステップＳ３０において、帯域選択回路６１が、ユーザの指定した放送帯域（今の場合、第１の放送帯域）を選択し、この放送帯域の信号を変換回路６２に出力する。
【００７６】
上記ステップＳ３０で選択された放送帯域の信号は、ステップＳ３１で、変換回路６２により、誤り検出訂正、デスクランブル等の処理が施され、映像信号、テキスト信号、および音声信号のパケット信号に変換される。
【００７７】
ステップＳ３２で、パケット選択回路６３は、変換回路６２より供給される放送帯域信号（伝送チャンネル信号）のパケットの中からパケットリストのパケットを選択し、このパケットリストをコントロール回路６０に出力する。このとき、初期設定された放送帯域である第１の放送帯域のパケットリストがコントロール回路６０に送られることになる。
【００７８】
続いて、ステップＳ３３において、コントロール回路６０は、このパケットリストを基にして、ユーザの指定した特定放送帯域内で提供されるサービスの種類を認識する。このとき、第１の放送帯域のパケットリストが参照され、このパケットリストの内容が把握される。
【００７９】
次に、図７のフローチャートに戻り、ステップＳ１４において、コントロール回路６０は、ユーザが出力を指示するパケット信号として、初期設定された第１の放送チャンネルの映像信号、音声信号、テキスト信号を設定する。
【００８０】
続くステップＳ１５で、ユーザの要求するパケット信号が選択出力される。この処理により、初期設定された第１の放送帯域の第１の放送チャンネルの映像信号、音声信号、およびテキスト信号が選局装置１５から出力される。
【００８１】
ここで、ステップＳ１５で示す処理の詳細を図９のフローチャートを参照して説明する。
【００８２】
図７のステップＳ１５で処理される信号は、特定放送帯域で提供される映像の出力指示信号、特定放送帯域で提供されるテキストの出力指示信号、特定放送帯域で提供される音声の出力指示信号、特定放送帯域で提供される特定放送チャンネルの番組（映像、テキスト、および音声）の出力指示信号のうちの、いずれかである。それ以外の信号は、図９のステップＳ４０、ステップＳ４３、ステップＳ４５、およびステップＳ４７に示すディシジョンで選択されず、不適当な信号として認識され、コントロール回路６０は、ステップＳ４９において、再入力処理またはエラーメッセージ表示処理等のエラー処理を行う。
【００８３】
ステップＳ４０で示すディシジョンでは、特定放送帯域で提供される映像の出力指示信号の認識が行われ、ステップＳ４３で示すディシジョンでは、特定放送帯域で提供される音声の出力指示信号の認識が行われ、ステップＳ４５で示すディシジョンでは、特定放送帯域で提供されるテキストの出力指示信号の認識が行われ、ステップＳ４７で示すディシジョンでは、特定放送帯域で提供される特定放送チャンネルの番組（映像、音声、およびテキスト）の出力指示信号の認識が行われる。
【００８４】
このようにして、順次、特定放送帯域で提供される映像出力指示信号、特定放送帯域で提供される音声出力指示信号、特定放送帯域で提供されるテキスト出力指示信号、特定放送帯域で提供される特定チャンネルの番組出力指示信号の順でユーザからの指示信号が選択され、各指示信号に対応した処理が実行される。
【００８５】
ステップＳ４０で示すディシジョンにおいては、コントロール回路６０が、特定放送帯域で提供される映像出力の指示信号を受信したと認識した場合は、後続のステップＳ４１で、映像信号に対応するパケットＩＤを選択し、このパケットＩＤで識別される映像パケット信号を選択出力させる命令をパケット選択回路６３に出力する。
【００８６】
ステップＳ４３で示すディシジョンにおいては、コントロール回路６０が、特定放送帯域で提供される音声出力の指示信号を受信したと認識した場合は、後続のステップＳ４４で、音声信号に対応するパケットＩＤを選択し、このパケットＩＤで識別されるテキストパケット信号を選択出力させる命令をパケット選択回路６３に出力する。
【００８７】
ステップＳ４５で示すディシジョンにおいては、コントロール回路６０が、特定放送帯域で提供されるテキスト出力の指示信号を受信したと認識した場合は、後続のステップＳ４６で、テキスト信号に対応するパケットＩＤを選択し、このパケットＩＤで識別される音声パケット信号を選択出力させる命令をパケット選択回路６３に出力する。
【００８８】
ステップＳ４７で示すディシジョンにおいては、コントロール回路６０が、特定放送帯域で提供される特定放送チャンネルの番組出力の指示信号を受信したと認識した場合は、後続のステップＳ４８で、その番組に対応するパケットＩＤをすべて選択し、これらのパケットＩＤで識別されるパケット信号を選択出力させる命令をパケット選択回路６３に出力する。
【００８９】
ステップＳ４１，Ｓ４４，Ｓ４６，またはＳ４８の次にステップＳ４２で、パケット選択回路６３は指定されたパケットＩＤを基に、各パケット信号を抽出し、映像パケット信号とテキストパケット信号を映像信号処理回路６４に出力し、音声パケット信号を音声信号処理回路６５に出力する。
【００９０】
このようにして、映像パケット信号およびテキストパケット信号と音声パケット信号は、それぞれ、映像信号処理回路６４と音声信号処理回路６５を介して表示装置１３とスピーカ１４に出力される。
【００９１】
今の場合、図７のステップＳ１４において設定されたユーザの指示信号は、初期設定された第１の放送チャンネルの映像、音声、テキスト出力の指示信号であるので、図９のステップＳ４７で、この指示信号が認識され、後続のステップＳ４８で、コントロール回路６０は、対応する放送チャンネルの映像パケット信号、音声パケット信号、テキストパケット信号を選択させる命令をパケット選択回路６３に出力する。続くステップＳ４２で、これらのパケットＩＤに対応するパケット信号が映像信号処理回路６４と音声信号処理回路６５に出力される。
【００９２】
このようにして初期設定された第１の放送帯域の第１の放送チャンネルの映像、音声、およびテキストがユーザに提供される。
【００９３】
図７のフローチャートに戻り、この選局装置１５は、ステップＳ１６で、次の指示信号が入力されるまで、第１の放送帯域の第１の放送チャンネルの映像音声を出力し続ける。
【００９４】
この状態から、ユーザが、図５に示した操作部の映像ＵＰキーＵ１を１回押したとする。このとき、次の放送チャンネル（第２の放送チャンネル）の映像出力の指示信号が選局装置１５に受信され、ステップＳ１６で示す入力キー受信待ちが解除される。
【００９５】
ステップＳ１２に戻り、指定した放送帯域の同調を指示する信号であるのか否かが判断される。
【００９６】
このステップＳ１２のディシジョンで、指示信号が指定した放送帯域の同調を指示する信号ではないと判断されるので、ステップＳ１５に分岐し、指定した第２の放送チャンネルの映像出力処理が行われる。
【００９７】
このステップＳ１５の処理の詳細である図９を参照して、このときの映像出力処理を説明すると、ステップＳ４０で、この指示信号が映像出力の指示信号であると判断され、後続のステップＳ４１で、コントロール回路６０が、第２の放送チャンネルの映像パケット信号を選択出力させる命令をパケット選択回路６３に出力する。ステップＳ４２で、各パケットＩＤに対応するパケット信号（指定された映像パケット信号を含む）が映像信号処理回路６４と音声信号処理回路６５に出力される。
【００９８】
このようにして、第１の放送帯域の第２の放送チャンネルの映像、第１の放送帯域の第１の放送チャンネルの音声、および第１の放送帯域の第１の放送チャンネルのテキストがユーザに提供される。
【００９９】
続いて、図７のステップＳ１６に戻り、選局装置１５は、次の入力信号が受信されるまで、この映像音声信号を出力する。
【０１００】
このようにして、ユーザが図５の映像ＵＰ（ＤＯＷＮ）キー、音声ＵＰ（ＤＯＷＮ）キー、テキストＵＰ（ＤＯＷＮ）キーを１回押すごとに、それぞれ、次（前）の放送チャンネルの映像、音声、テキストを新しく選択出力することができる。
【０１０１】
次に、この状態（第１の放送帯域の第２の放送チャンネルの映像、第１の放送帯域の第１の放送チャンネルの音声、および第１の放送帯域の第１の放送チャンネルのテキストを出力している状態）から、ユーザが図５の放送帯域ＵＰキーＵ５を１回押したとする。
【０１０２】
すると、次の放送帯域（第２の放送帯域）の同調を指示する信号が選局装置１５に受信され、ステップＳ１６で示す入力キー受信待ちが解除さる。
【０１０３】
ステップＳ１２に戻り、指定した放送帯域の同調を指示する信号であるのか否かが判断される。
【０１０４】
ステップＳ１２では、ユーザからの指示信号が放送帯域の同調を指示する信号であると判断されるので、後続のステップＳ１３において、上述したステップＳ１３の処理の詳細である図８のフローチャートで示す処理が行われ、その結果、第２の放送帯域が同調され、コントロール回路６０は、第２の放送帯域のパケットリストの内容を把握する。
【０１０５】
次に、ステップＳ１４で、コントロール回路６０は、ユーザが出力を指示するパケット信号として、初期設定されている第１の放送チャンネルの映像音声を設定する。
【０１０６】
続いて、後続のステップＳ１５で、第１の放送チャンネルの映像出力処理が行われる。
【０１０７】
このようにして、第２の放送帯域の第１の放送チャンネルの映像音声がユーザに提供される。続いて、ステップＳ１６で、選局装置１５は次の指示信号が受信されるまで、この映像音声信号を出力する。
【０１０８】
以上のようにして、ユーザは放送帯域を任意に選択することができ、さらに、この状態から、図５の映像ＵＰ／ＤＯＷＮキー、音声ＵＰ／ＤＯＷＮキー、テキストＵＰ／ＤＯＷＮキーを操作することにより、ユーザは、第２の放送帯域の映像、音声、およびテキストを自由に組み合わせた映像音声サービスの提供を受けることができる。
【０１０９】
図１０は図１で示した選局装置１５の第２の実施例の構成を示すブロック図である。図１０で示す選局装置１５と図４で示す選局装置１５の相違は、コントロール回路６０と映像信号処理回路６４で示す部分であり、図１０において、図４の場合と対応する部分には同一の符号を付してあり、その説明は適宜省略する。
【０１１０】
コントロール回路６０は、パケット選択回路６３から入力されるパケット信号の種類を管理するパケットリスト情報の信号を受信すると、このパケットリストを基に、指定放送帯域（伝送チャンネル）のパケット信号の種類を把握し、パケット信号の種類をユーザに表示するための画像データ（選択画像データ）信号を生成し、この信号を映像信号処理回路６４に出力するようになされている。
【０１１１】
また、コントロール回路６０は、ユーザからのパケット信号選択の指示信号を、リモートコマンダ１１を介して受信すると、選択されているパケット信号にマークを表示するための画像データ信号を生成し、この信号を映像信号処理回路６４に出力するようになされている。
【０１１２】
映像信号処理回路６４は、コントロール回路６０より出力される上記の画像データ信号と、パケット選択回路６３より出力される映像パケット信号およびテキストパケット信号を重畳し、表示装置１３に出力するようになされている。
【０１１３】
次に、図１１のフローチャートを参照して、図１０で示す選局装置１５の処理動作について説明する。
【０１１４】
なお、図１１のステップＳ６０の処理は、図７のステップＳ１１の処理と同様の処理であり、図１１のステップＳ６１の処理は、図７のステップＳ１３の処理と同様の処理であり、図１１のステップＳ６２の処理は、図７のステップＳ１４の処理と同様の処理であるため、図１１のこれらのステップについての詳細な説明は省略する。
【０１１５】
ユーザが選局装置１５を含む図１の選局システムに電源を供給するなどして、このシステムを活性化させると、図１１のステップＳ６０において、第１の放送帯域の同調を指示する信号が、ユーザからの指示信号として初期設定され、ステップＳ６１で、第１の放送帯域の選択が行われ、コントロール回路６０が、第１の放送帯域のパケットリストの内容を認識する。続いて、ステップＳ６２で、第１の放送チャンネルのパケット信号出力を指示する信号が、ユーザからの指示信号として初期設定される。
【０１１６】
後続のステップＳ６３のサブルーチン処理で、第１の放送チャンネルのパケット信号が、映像信号処理回路６４と音声信号処理回路６５に出力される。
【０１１７】
ここでステップＳ６３の処理の詳細を図１２のフローチャートを参照して説明する。
【０１１８】
図１２に示すフローチャートの処理は、図９のフローチャートで示すディシジョン部分の処理を直列につないだものであり、図１２の処理で、図９の場合と対応するステップに同一のステップ番号を付してあり、その説明は適宜簡略化する。
【０１１９】
ステップＳ５０で、ユーザからの入力信号の妥当性チェックが行われ、不適当な入力信号が受信された場合は、コントロール回路６０は、再入力処理、エラーメセージ出力処理等のエラー処理を行う。
【０１２０】
続くステップＳ４０で、指示信号が映像出力の指示信号であるのか否かが判断され、指示信号が映像出力の指示信号ではないと判断された場合は、ステップＳ４３に分岐し、指示信号が映像出力の指示信号であると判断された場合は、後続のステップＳ４１で、コントロール回路６０が、指定された映像パケット信号を選択させる命令信号をパケット選択回路６３に出力し、後続のステップＳ４３の処理を行う。
【０１２１】
同様に、ステップＳ４３とステップＳ４４で、ユーザから音声出力が指示された場合に、コントロール回路６０が、指定された音声パケット信号を選択させる命令信号をパケット選択回路６３に出力し、ステップＳ４５とステップＳ４６で、ユーザからテキスト出力が指示された場合に、コントロール回路６０が、指定されたテキストパケット信号を選択させる命令信号をパケット選択回路６３に出力し、ステップＳ４７とステップＳ４８で、ユーザから番組出力が指示された場合に、コントロール回路６０が、指定された番組のパケット信号を選択させる命令信号をパケット選択回路６３に出力する。
【０１２２】
続くステップＳ４２で、パケット選択回路６３は指定されたパケットＩＤに対応するパケット信号を映像信号処理回路６４と音声信号処理回路６５に出力する。
【０１２３】
図１１のステップＳ６２において設定されたユーザの指示信号は、初期設定された第１の放送チャンネルの映像、音声、テキスト出力の指示信号であるので、図１２のステップＳ４７で、この指示信号が認識され、後続のステップＳ４８で、コントロール回路６０は、対応する放送チャンネルの映像パケット信号、音声パケット信号、およびテキストパケット信号を選択させる命令をパケット選択回路６３に出力する。続くステップＳ４２で、これらのパケットＩＤに対応するパケット信号が映像信号処理回路６４と音声信号処理回路６５に出力される。
【０１２４】
このようにして、初期設定されている第１の放送帯域の第１の放送チャンネルの映像、音声、およびテキストがユーザに提供される。
【０１２５】
図１１のフローチャートに戻り、ステップＳ６４において、選択画面データ信号の生成、出力が行われ、ユーザに選択画面が表示される。
【０１２６】
このとき、選局装置１５が生成する選択画面データにより表示される選択画面の一実施例を図１３に示す。
【０１２７】
図１３で示した選択画面の各行は、行Ｇ５０で表すように、特定の番組情報に対応している。また、各行は左より、サービス供給者、番組名、映像パケットの有無、音声パケットの有無、テキストパケットの有無、またはその内容が示されている。各パケットの有無は、有りの場合は星印で示され、無しの場合は無記入で示されている。この時、特定の番組が選択されている場合の表示をＭ５１とＭ５２で示す。このＭ５１とＭ５２で示されるように、特定の番組が選択されている場合は、番組名、その番組の映像パケット（有る場合のみ）、その番組の音声パケット（有る場合のみ）、およびその番組の映像テキストパケット（有る場合のみ）がマークされる。
【０１２８】
ユーザはこの画面により特定放送帯域内で提供されるサービス（パケット信号）を把握することができ、また、この画面から、特定のサービスを選択することができる。
【０１２９】
図１１のステップＳ６４の処理を説明すると、コントロール回路６０が、ステップＳ６１で取得したパケットリストを参照して、特定放送帯域で提供される全サービスを表示させるための画像データ信号を生成し、さらに、ユーザの指示したサービス（パケット信号）をマーク表示するための画像データ信号を生成し、この信号を映像信号処理回路６４に出力する。
【０１３０】
この状態（選局システムを活性化させた後、ユーザからの入力がされていない状態）では、ステップＳ６２で、ユーザの指示したパケット信号として第１の放送チャンネルのパケット信号が設定されているので、図１３に示すように、１つの番組を選択したときのマーク（マークＭ５１、およびマークＭ５２）を表示するための画像データ信号が生成され、映像信号処理回路６４に出力される。
【０１３１】
このとき、映像信号処理回路６４は、図１３で示す画面の画像データ信号とパケット選択回路６３からの映像パケット信号を重畳し、表示装置１３に出力する。
【０１３２】
ユーザは、図１３に示す選択画面より、リモートコマンダ１１を操作し、選局装置１５に対し、映像音声出力の選択を指示することができる。
【０１３３】
図１４は、このような操作を行わせるためのリモートコマンダ１１の操作部の実施例を示す図である。
【０１３４】
ユーザが表示キーＸを１回押すごとに、選択画面の表示と選択画面の無表示が切り替わり、確定キーＹを押すと、選択した映像音声の組み合わせが確定したことを意味する確定信号が選局装置１５に出力され、その結果、選択した組み合わせの映像音声が出力されるようになされている。
【０１３５】
また、ユーザが放送帯域切換のＵＰキーＵ２１とＤＯＷＮキーＤ２１を押すことにより、他の放送帯域の選択を指示するための指示信号が選局装置１５に出力されるようになされている。
【０１３６】
ユーザがＵＰキーＵ２０（ＤＯＷＮキーＤ２０）を１回押すと、カーソルの位置が１つ上（下）に移動し、ＲＩＧＴＨキーＲ２０（ＬＥＦＴキーＬ２０）を１回押すと、選択画面上でカーソルの位置が１つ右（左）に移動するようになされている。
【０１３７】
図１３において、映像音声が選択されていることを示すマークＭ５１，Ｍ５２は、このカーソルとともに移動し、ユーザはこのカーソル移動を利用して映像音声の出力を自由に組み合わせることができる。
【０１３８】
例えば、今、図１３の画面が表示されており、カーソルが第１の放送チャンネルの番組の位置（ＮＨＫ（サービスマーク）の番組の位置）にあり、この状態から、ユーザが図１４のＲＩＧＴＨキーＲ２０を１回押すと、カーソルが右に１つ移動（ＮＨＫの映像の位置）し、カーソルが番組の位置（Ｍ５１の位置）に存在しないので、番組を選択していることを示すＭ５１のマークは消される。その結果、マークは第１の放送チャンネルの映像、音声、およびテキストの位置に表示され、カーソルは第１の放送チャンネルの映像の位置に表示される。この状態からは、ＵＰキーＵ２０／ＤＯＷＮキーＤ２０により、第１乃至第Ｎの放送チャンネルの中から映像を選択することができる。
【０１３９】
このときの処理を図１１のフローチャートで説明すると、ユーザが図１４のＲＩＧＨＴキーＲ２０を１回押すと、選局装置１５にユーザの指示信号が受信され、図１１のステップＳ６５で示す入力信号の受信待ちが解除される。
【０１４０】
続くステップＳ６６のディシジョンで、この指示信号の種類が判別され、指示信号はカーソルを右に移動させるＲＩＧＨＴ信号であるのでステップＳ６４に分岐し、ステップＳ６４で、カーソルを右に１つ（第１の放送チャンネルの映像の位置）移動させ、第１の放送チャンネルの映像、音声、およびテキストの位置に選択したサービス（パケット信号）を示すマークを表示するための画像データ信号が生成され、この信号が映像信号処理回路６４に出力される。
【０１４１】
この後、ユーザが図１４のＤＯＷＮキーＤ２０を１回押すと、選局装置５にユーザの指示信号が受信され、図１１のステップＳ６５で示す入力信号の受信待ちが解除される。
【０１４２】
続くステップＳ６６のディシジョンで、この指示信号の種類が判別され、指示信号は映像のＤＯＷＮ信号であるのでステップＳ６４に分岐し、ステップＳ６４で、ユーザの指示したサービス（パケット信号）をマーク表示するための画像データ信号が生成され、この信号が映像信号処理回路６４に出力される。その結果、第２の放送チャンネルの映像と第１の放送チャンネルの音声およびテキストの位置のマークが表示される。
【０１４３】
このようにして、選択画面上のカーソルを移動させることにより、映像音声を選択していることを示すマークを移動させ、映像音声を任意に組み合わせることができる。
【０１４４】
図１３で示す選択画面の状態からユーザが図１４のＲＩＧＨＴキーＲ２０を１回押した後、ＤＯＷＮキーＤ２０を３回押すと、カーソルは第４の放送チャンネルの映像の位置（朝日放送の映像の位置）に移動し、映像を選択していることを示すマークＭ５２もこのカーソルの位置に移動する。その結果、第４の放送チャンネルの映像と第１の放送チャンネルの音声およびテキストの位置にマークＭ５２が表示される。
【０１４５】
この状態から、ユーザが図１４のＲＩＧＨＴキーＲ２０を１回押すと、カーソルは右に１つ移動し、第４の放送チャンネルの音声の位置（朝日放送の音声の位置）に音声を選択していることを示すマークＭ５２が移動する。さらに、ユーザが図１４のＤＯＷＮキーＤ２０を２回押すと、カーソルは第６の放送チャンネルの音声の位置（大阪有線（サービスマーク）の音声の位置）に移動し、音声を選択していることを示すマークＭ５２もこのカーソルの位置に移動する。その結果、第４の放送チャンネルの映像、第６の放送チャンネルの音声、および第１の放送チャンネルのテキストの位置にマークＭ５２が表示される。
【０１４６】
この状態から、ユーザが図１４のＲＩＧＨＴキーＲ２０を１回押すと、カーソルは右に１つ移動し、第６の放送チャンネルのテキストの位置（大阪有線のテキストの位置）にテキストを選択していることを示すマークＭ５２が移動する（但し、大阪有線のテキストは存在しないのでテキストの選択は無効）。さらに、ユーザが図１４のＵＰキーＵ２０を４回押すと、カーソルは第２の放送チャンネルのテキストの位置（Ｗｅａｔｈｅｒのテキストの位置）に移動し、テキストを選択していることを示すマークもこのカーソルの位置に移動する。その結果、第４の放送チャンネルの映像、第６の放送チャンネルの音声、および第２の放送チャンネルのテキストの位置にマークが表示される。この時の選択画面の表示を図１５に示す。
【０１４７】
図１５に示す選択画面では、第４の放送チャンネルである朝日放送の映像が選択されたことを示すマークＭ６０と、第６の放送チャンネルである大阪有線の音声が選択されたことを示すマークＭ６１、および第２の放送チャンネルであるＷｅａｔｈｅｒのテキストが選択されたことを示すマークＭ６２が、ユーザに示されている。
【０１４８】
映像音声出力の組み合わせを図１５で示す組み合わせに確定するとき、ユーザは、図１４の確定キーＹを押す。これにより、選択した映像音声出力の指示信号がリモートコマンダ１１から選局装置１５に対して送信される。
【０１４９】
選局装置１５がユーザからの映像音声出力の指示信号を受信すると、図１１のステップＳ６５の入力信号の受信待ちが解除される。
【０１５０】
続いて、ステップＳ６６のディシジョンで、指示信号の種類が判別され、この場合は、選択の確定を指示する指示信号であると判断されるので、ステップＳ６３に分岐する。
【０１５１】
ここで、ステップＳ６３の処理の詳細である図１２のフローチャートを参照して、この場合の処理を説明すると、ステップＳ４０、ステップＳ４１で、パケット選択回路６３に対して、第４の放送チャンネル（朝日放送）の映像パケット信号の選択が指示され、ステップＳ４３、ステップＳ４４で、パケット選択回路６３に対して、第６の放送チャンネル（大阪有線）の音声パケット信号の選択が指示され、ステップＳ４５、ステップＳ４６で、パケット選択回路６３に対して、第２の放送チャンネル（Ｗｅａｔｈｅｒ）のテキストパケット信号の選択が指示され、続くステップＳ４２で、これらの指示されたパケット信号が選択され、映像信号処理回路６４と音声信号処理回路６５に出力される。
【０１５２】
このようにして、ユーザは、朝日放送が提供する巨人戦中継番組の映像、大阪有線が提供する演歌番組の音声、およびＷｅａｔｈｅｒが供給する天気予報番組のテキストで構成される映像音声のサービスの提供を同時に受けることができる。
【０１５３】
このとき、表示装置１３に表示される画面は、朝日放送の映像、Ｗｅａｔｈｅｒのテキスト、および図１５に示す選択画面が重畳された画面であり、ユーザは図１４の表示キーＸによりこの選択画面を表示させない画面に切り換えることができる。
【０１５４】
ユーザが図１４の表示キーＸを１回押すと、選局装置１５に指示信号が送信され図１１のステップＳ６５の入力信号の受信待ちが解除される。
【０１５５】
後続のステップＳ６６のディシジョンで、指示信号の種類が判別され、指示信号は、選択画面の表示終了を指示する信号であると判断されるので、ステップＳ６７において、コントロール回路６０は選択画面データの出力を中止し、映像信号処理回路６４は、映像パケット信号とテキストパケット信号だけを表示装置１３に出力する。
【０１５６】
続いて、ステップＳ６８で、コントロール回路６０は選択画面の表示を指示する指示信号の受信待ち処理を行う。
【０１５７】
このようにして、選択画面を表示させない映像を出力することができる。
【０１５８】
ここでユーザが、再び、図１４の表示キーＸを１回押すと、図１１のステップＳ６８の表示信号受信待ちが解除され、ステップＳ６４に分岐し、選択画面を表示させることができる。
【０１５９】
次に、ユーザが放送帯域を変更させるときの操作とその操作に対応した処理を図１１のフローチャートを参照して説明する。
【０１６０】
ユーザが、図１４の帯域ＵＰキーＵ２１（またはＤＯＷＮキーＤ２１）を１回押すと、図１１のステップＳ６６の入力信号受信待ちが解除される。
【０１６１】
後続のステップＳ６６のディシジョンで、指示信号の種類が判別され、指示信号は、指定放送帯域の同調の指示信号であると判断されるので、ステップＳ６１に分岐し、後続の処理が実行され、次（または前）の放送帯域の第１の放送チャンネルの映像音声信号が出力される。
【０１６２】
以上のようにして、ユーザは、異なる放送チャンネルで提供される映像サービスの中から映像を選択し、異なる放送チャンネルで提供されるテキストサービスの中からテキストを選択し、異なる放送チャンネルで提供される音声サービスの中から音声を選択し、選択したそれらの映像、テキスト、および音声を自由に組み合わせて鑑賞することができる。
【０１６３】
また、特定放送帯域で提供されるサービスの種類を視覚的にとらえることができるため、裏番組で提供されるサービスが瞬時に把握できる。
【０１６４】
さらに、映像、テキスト、および音声を選択した選択結果を表示させることができるので、ユーザの誤操作を未然に防止することができる。
【０１６５】
なお、上記実施例の他、本発明は、種々の改変が可能である。
【０１６６】
【発明の効果】
以上のように請求項１に記載の選局装置および請求項４に記載の選局方法によれば、それぞれ、少なくとも映像信号、それに対応する音声信号、およびデータ信号のうちの少なくとも２つを含む複数の放送チャンネル信号の中から所定のものを受信し、放送チャンネル信号の内の第１の放送チャンネル信号の映像信号と、第１の放送チャンネル信号と異なる第２の放送チャンネル信号の音声信号またはデータ信号とを選択し、少なくともその放送帯域信号で伝送される放送チャンネルのパケットのリストを内容とするパケットを含む放送帯域信号から、パケットのリストを含むパケットを検出するようにしたので、特定放送帯域の選択ブロックを１つもつだけで、映像、テキスト、音声情報などを任意に組み合わせて出力できる。
【０１６７】
請求項５に記載の選局装置および請求項６に記載の選局方法によれば、少なくともその放送帯域信号で伝送される複数の放送チャンネルのパケットのリストを内容とするパケットを含む放送帯域信号から、パケットのリストを含むパケットを検出し、放送チャンネルの信号が、映像信号、音声信号またはデータ信号のいずれにより構成されているかを表示するための信号を生成するようにしたので、特定放送帯域で提供されているサービス、および選択したサービスを容易に把握することができる。
【０１６８】
請求項７に記載の放送装置および請求項８に記載の放送方法によれば、それぞれ、少なくとも映像信号、それに対応する音声信号、およびデータ信号のうちの少なくとも２つを含む各放送チャンネル信号の映像信号、音声信号またはデータ信号をデジタル化し、パケット化し、１つの放送帯域信号で伝送される複数の放送チャンネルのパケットのリストを内容とするパケットを生成し、パケット化された複数の放送チャンネルのパケットとパケットのリストを内容とするパケットとを、１つの放送帯域信号の中に重畳させるようにしたので、各パケット信号を容易に抽出することができる。
【図面の簡単な説明】
【図１】本発明の選局装置を用いた選局システムの構成例を示すブロック図である。
【図２】図１の放送装置１６の構成例を示すブロック図である。
【図３】図２の処理回路２１−１乃至２１−ｍの構成例を示すブロック図である。
【図４】図１の選局装置１５の構成例を示すブロック図である。
【図５】リモートコマンダ１１の操作部の例を示す図である。
【図６】リモートコマンダ１１の操作部の第２の例を示す図である。
【図７】図４で示す選局装置１５の動作を説明するフローチャートである。
【図８】図７のステップＳ１３で示すサブルーチン処理を説明するフローチャートである。
【図９】図７のステップＳ１５で示すサブルーチン処理を説明するフローチャートである。
【図１０】図１の選局装置１５の第２の構成例を示すブロック図である。
【図１１】図１０で示す選局装置１５の動作を説明するフローチャートである。
【図１２】図１１のステップＳ６３の処理を説明するフローチャートである。
【図１３】図１０で示す選局装置１５が生成する画像データ信号を表示装置１３で表示したパケット選択画面の例である。
【図１４】リモートコマンダ１１の操作部の第３の例を示す図である。
【図１５】図１０で示す選局装置１５が生成する画像データ信号を表示装置１３で表示したパケット選択画面の第２の例である。
【図１６】従来の選局装置の構成例示すブロック図である。
【符号の説明】
１  リモートコマンダ
２  アンテナ
３  表示装置
４  スピーカ
５  選局装置
６  コントロール回路
７  帯域選択回路
８  映像信号処理回路
９  音声信号処理回路
１１  リモートコマンダ
１２  アンテナ
１３  表示装置
１４  スピーカ
１５  選局装置
１６  放送装置
２０  信号選択回路
２１−１乃至２１−ｍ  処理回路
２２−１乃至２１−ｍ  変調回路
２３  マルチプレクサ
２４  送信回路
２５  アンテナ
４０−１乃至４０−ｎ  ビデオ信号Ａ／Ｄ変換回路
４１−１乃至４１−ｎ  オーディオ信号Ａ／Ｄ変換回路
４２−１乃至４２−ｎ  ビデオエンコーダ
４３−１乃至４３−ｎ  オーディオエンコーダ
４４−１乃至４４−ｎ  テキストエンコーダ
４５  パケットリスト生成回路
４６  マルチプレクサ
６０  コントロール回路
６１  帯域選択回路
６２  変換回路
６３  パケット選択回路
６４  映像信号処理回路
６５  音声信号処理回路
【図１】
0003614947.tif 000002
【図２】
0003614947.tif 000003
【図３】
0003614947.tif 000004
【図４】
0003614947.tif 000005
【図５】
0003614947.tif 000006
【図６】
0003614947.tif 000007
【図７】
0003614947.tif 000008
【図８】
0003614947.tif 000009
【図９】
0003614947.tif 000010
【図１０】
0003614947.tif 000011
【図１１】
0003614947.tif 000012
【図１２】
0003614947.tif 000013
【図１３】
0003614947.tif 000014
【図１４】
0003614947.tif 000015
【図１５】
0003614947.tif 000016
【図１６】
0003614947.tif 000017